(57)【要約】【課題】  ジョブの印刷を一の画像形成装置に停止させて他の画像形成装置によって継続させる場合の操作性を向上することができる携帯機器、携帯機器用プログラムおよび画像形成システムを提供する。【解決手段】  携帯機器は、ジョブの印刷の実行の一のＭＦＰに対する命令を送信した（Ｓ２０３）後、他のＭＦＰによるジョブの印刷の継続の指示が受け付けられた場合（Ｓ２０４でＹＥＳ）、ジョブの印刷の停止の一のＭＦＰに対する命令を送信し（Ｓ２０５）、ジョブの印刷の停止の一のＭＦＰに対する命令を送信した後、ジョブのうち印刷が完了した部分を示す印刷済情報が一のＭＦＰの装置情報として取得された場合（Ｓ２０６でＹＥＳ）、ジョブのうち印刷が完了していない部分の印刷の実行の他のＭＦＰに対する命令を印刷済情報に基づいて送信する（Ｓ２０７）ことを特徴とする。【選択図】  図８
2014170486.tif 000002
【特許請求の範囲】
【請求項１】
撮像デバイスおよび表示デバイスを備える携帯機器であって、
画像形成装置の現実空間での位置を取得する装置位置取得手段と、
前記画像形成装置の装置情報を取得する装置情報取得手段と、
前記装置情報取得手段によって取得された前記画像形成装置の装置情報に基づく付加情報を、前記撮像デバイスによる撮影画像に、前記装置位置取得手段によって取得されたこの画像形成装置の現実空間での位置と、前記携帯機器の現実空間での位置との関係に対応した前記撮影画像上のこの画像形成装置の位置である撮影画像上装置位置に対応付けて合成した合成画像を前記表示デバイスに表示させる表示制御手段と、
前記合成画像上の前記付加情報に対する指示を受け付ける指示受付手段と、
前記指示受付手段によって受け付けられた指示に応じた前記画像形成装置に対する命令を送信する命令送信手段とを備え、
前記命令送信手段は、ジョブの印刷の実行の一の画像形成装置に対する命令を送信した後、他の画像形成装置による前記ジョブの印刷の継続の指示が前記指示受付手段によって受け付けられた場合、前記ジョブの印刷の停止の前記一の画像形成装置に対する命令を送信し、
前記命令送信手段は、前記ジョブの印刷の停止の前記一の画像形成装置に対する命令を送信した後、前記ジョブのうち印刷が完了した部分を示す印刷済情報が前記一の画像形成装置の前記装置情報として前記装置情報取得手段によって取得された場合、前記ジョブのうち印刷が完了していない部分の印刷の実行の前記他の画像形成装置に対する命令を前記印刷済情報に基づいて送信することを特徴とする携帯機器。
【請求項２】
前記装置情報取得手段によって取得された前記画像形成装置の装置情報に基づいてこの画像形成装置が前記ジョブの印刷を実行可能であるか否かを判断するジョブ印刷可否判断手段を備え、
前記表示制御手段は、前記ジョブの印刷の実行の前記一の画像形成装置に対する命令が前記命令送信手段によって送信された後、前記他の画像形成装置が前記ジョブの印刷を実行可能ではないと前記ジョブ印刷可否判断手段によって判断された場合に、前記他の画像形成装置による前記ジョブの印刷の継続の指示を受け付けるための前記付加情報を生成せず、
前記表示制御手段は、前記ジョブの印刷の実行の前記一の画像形成装置に対する命令が前記命令送信手段によって送信された後、前記他の画像形成装置が前記ジョブの印刷を実行可能であると前記ジョブ印刷可否判断手段によって判断された場合に、前記他の画像形成装置による前記ジョブの印刷の継続の指示を受け付けるための前記付加情報を生成することを特徴とする請求項１に記載の携帯機器。
【請求項３】
前記表示制御手段は、前記ジョブの印刷の実行の前記一の画像形成装置に対する命令が前記命令送信手段によって送信された後、前記他の画像形成装置が前記ジョブの印刷を実行可能ではないと前記ジョブ印刷可否判断手段によって判断された場合に、前記他の画像形成装置による前記ジョブの印刷のやり直しの指示を受け付けるための前記付加情報を生成し、
前記命令送信手段は、前記ジョブの印刷の実行の前記一の画像形成装置に対する命令を送信した後、前記他の画像形成装置による前記ジョブの印刷のやり直しの指示が前記指示受付手段によって受け付けられた場合、前記ジョブの印刷の停止の前記一の画像形成装置に対する命令を送信するとともに、前記ジョブの印刷の実行の前記他の画像形成装置に対する命令を送信することを特徴とする請求項２に記載の携帯機器。
【請求項４】
前記画像形成装置の画像を取得する装置画像取得手段と、
前記撮影画像上装置位置に前記画像形成装置が存在しているか否かを画像処理によって判断する撮影画像上装置存在判断手段とを備え、
前記表示制御手段は、前記撮影画像上装置存在判断手段によって前記画像形成装置が存在していないと判断された場合に、前記装置画像取得手段によって取得されたこの画像形成装置の画像を前記撮影画像に前記撮影画像上装置位置で合成した前記合成画像を生成し、
前記表示制御手段は、前記撮影画像上装置存在判断手段によって前記画像形成装置が存在していると判断された場合に、前記装置画像取得手段によって取得されたこの画像形成装置の画像を前記撮影画像に前記撮影画像上装置位置で合成せずに前記合成画像を生成することを特徴とする請求項１から請求項３までの何れかに記載の携帯機器。
【請求項５】
撮像デバイスおよび表示デバイスを備える携帯機器を、請求項１から請求項４までの何れかに記載の携帯機器として機能させることを特徴とする携帯機器用プログラム。
【請求項６】
請求項１から請求項４までの何れかに記載の携帯機器と、前記一の画像形成装置および前記他の画像形成装置とを備えることを特徴とする画像形成システム。
【発明の詳細な説明】
【技術分野】
【０００１】
本発明は、撮像デバイスによる撮影画像に対象の画像形成装置の装置情報に基づく付加情報を合成した合成画像を表示デバイスに表示させるＡＲ（Ａｕｇｍｅｎｔｅｄ  Ｒｅａｌｉｔｙ）技術を実現する携帯機器、携帯機器用プログラムおよび画像形成システムに関する。
【背景技術】
【０００２】
従来、撮像デバイスによる撮影画像に対象の画像形成装置の装置情報に基づく付加情報を合成した合成画像を表示デバイスに表示させる携帯機器として、この画像形成装置の現実空間での位置と、この携帯機器の現実空間での位置との関係に対応した撮像デバイスによる撮影画像上のこの画像形成装置の位置で、この画像形成装置の装置情報に基づく付加情報を撮影画像に合成した合成画像を表示デバイスに表示させることによって、撮影画像上の実際の画像形成装置に、この画像形成装置の装置情報に基づく付加情報を直感的に表示することができる携帯機器が知られている（特許文献１、２参照。）。
【先行技術文献】
【特許文献】
【０００３】
【特許文献１】特開２０１２−２９１６４号公報
【特許文献２】特開２０１２−９００７７号公報
【発明の概要】
【発明が解決しようとする課題】
【０００４】
しかしながら、従来の携帯機器においては、ジョブの印刷を一の画像形成装置に停止させて他の画像形成装置によって継続させる場合、一の画像形成装置に対するジョブの印刷の停止の指示と、他の画像形成装置に対するジョブの印刷の継続の指示とをそれぞれ実行する必要があるので、利用者による操作が煩雑であるという問題がある。
【０００５】
そこで、本発明は、ジョブの印刷を一の画像形成装置に停止させて他の画像形成装置によって継続させる場合の操作性を向上することができる携帯機器、携帯機器用プログラムおよび画像形成システムを提供することを目的とする。
【課題を解決するための手段】
【０００６】
本発明の携帯機器は、撮像デバイスおよび表示デバイスを備える携帯機器であって、画像形成装置の現実空間での位置を取得する装置位置取得手段と、前記画像形成装置の装置情報を取得する装置情報取得手段と、前記装置情報取得手段によって取得された前記画像形成装置の装置情報に基づく付加情報を、前記撮像デバイスによる撮影画像に、前記装置位置取得手段によって取得されたこの画像形成装置の現実空間での位置と、前記携帯機器の現実空間での位置との関係に対応した前記撮影画像上のこの画像形成装置の位置である撮影画像上装置位置に対応付けて合成した合成画像を前記表示デバイスに表示させる表示制御手段と、前記合成画像上の前記付加情報に対する指示を受け付ける指示受付手段と、前記指示受付手段によって受け付けられた指示に応じた前記画像形成装置に対する命令を送信する命令送信手段とを備え、前記命令送信手段は、ジョブの印刷の実行の一の画像形成装置に対する命令を送信した後、他の画像形成装置による前記ジョブの印刷の継続の指示が前記指示受付手段によって受け付けられた場合、前記ジョブの印刷の停止の前記一の画像形成装置に対する命令を送信し、前記命令送信手段は、前記ジョブの印刷の停止の前記一の画像形成装置に対する命令を送信した後、前記ジョブのうち印刷が完了した部分を示す印刷済情報が前記一の画像形成装置の前記装置情報として前記装置情報取得手段によって取得された場合、前記ジョブのうち印刷が完了していない部分の印刷の実行の前記他の画像形成装置に対する命令を前記印刷済情報に基づいて送信することを特徴とする。
【０００７】
この構成により、本発明の携帯機器は、ジョブの印刷の実行の一の画像形成装置に対する命令を送信した後、他の画像形成装置によるこのジョブの印刷の継続の指示が受け付けられると、このジョブの印刷の停止の一の画像形成装置に対する命令の送信と、このジョブのうち一の画像形成装置によって印刷が完了していない部分の印刷の実行の他の画像形成装置に対する命令の送信とを自動で実行するので、ジョブの印刷を一の画像形成装置に停止させて他の画像形成装置によって継続させる場合の操作性を向上することができる。
【０００８】
また、本発明の携帯機器は、前記装置情報取得手段によって取得された前記画像形成装置の装置情報に基づいてこの画像形成装置が前記ジョブの印刷を実行可能であるか否かを判断するジョブ印刷可否判断手段を備え、前記表示制御手段は、前記ジョブの印刷の実行の前記一の画像形成装置に対する命令が前記命令送信手段によって送信された後、前記他の画像形成装置が前記ジョブの印刷を実行可能ではないと前記ジョブ印刷可否判断手段によって判断された場合に、前記他の画像形成装置による前記ジョブの印刷の継続の指示を受け付けるための前記付加情報を生成せず、前記表示制御手段は、前記ジョブの印刷の実行の前記一の画像形成装置に対する命令が前記命令送信手段によって送信された後、前記他の画像形成装置が前記ジョブの印刷を実行可能であると前記ジョブ印刷可否判断手段によって判断された場合に、前記他の画像形成装置による前記ジョブの印刷の継続の指示を受け付けるための前記付加情報を生成しても良い。
【０００９】
この構成により、本発明の携帯機器は、ジョブの印刷の実行の一の画像形成装置に対する命令を送信した後、他の画像形成装置がジョブの印刷を実行可能ではない場合に、他の画像形成装置によるジョブの印刷の継続の指示を受け付けず、他の画像形成装置がジョブの印刷を実行可能である場合に、他の画像形成装置によるジョブの印刷の継続の指示を受け付けるので、利用者による無駄な操作を防止することができる。したがって、本発明の携帯機器は、ジョブの印刷を一の画像形成装置に停止させて他の画像形成装置によって継続させる場合の操作性を向上することができる。
【００１０】
また、本発明の携帯機器において、前記表示制御手段は、前記ジョブの印刷の実行の前記一の画像形成装置に対する命令が前記命令送信手段によって送信された後、前記他の画像形成装置が前記ジョブの印刷を実行可能ではないと前記ジョブ印刷可否判断手段によって判断された場合に、前記他の画像形成装置による前記ジョブの印刷のやり直しの指示を受け付けるための前記付加情報を生成し、前記命令送信手段は、前記ジョブの印刷の実行の前記一の画像形成装置に対する命令を送信した後、前記他の画像形成装置による前記ジョブの印刷のやり直しの指示が前記指示受付手段によって受け付けられた場合、前記ジョブの印刷の停止の前記一の画像形成装置に対する命令を送信するとともに、前記ジョブの印刷の実行の前記他の画像形成装置に対する命令を送信しても良い。
【００１１】
この構成により、本発明の携帯機器は、ジョブの印刷の実行の一の画像形成装置に対する命令を送信した後、他の画像形成装置がジョブの印刷を実行可能ではない場合に、他の画像形成装置によるジョブの印刷のやり直しの指示を受け付けたとき、ジョブの印刷の停止の一の画像形成装置に対する命令の送信と、ジョブの印刷の実行の他の画像形成装置に対する命令の送信とを自動で実行するので、ジョブの印刷を一の画像形成装置に停止させて他の画像形成装置によってやり直させる場合の操作性を向上することができる。
【００１２】
また、本発明の携帯機器は、前記画像形成装置の画像を取得する装置画像取得手段と、前記撮影画像上装置位置に前記画像形成装置が存在しているか否かを画像処理によって判断する撮影画像上装置存在判断手段とを備え、前記表示制御手段は、前記撮影画像上装置存在判断手段によって前記画像形成装置が存在していないと判断された場合に、前記装置画像取得手段によって取得されたこの画像形成装置の画像を前記撮影画像に前記撮影画像上装置位置で合成した前記合成画像を生成し、前記表示制御手段は、前記撮影画像上装置存在判断手段によって前記画像形成装置が存在していると判断された場合に、前記装置画像取得手段によって取得されたこの画像形成装置の画像を前記撮影画像に前記撮影画像上装置位置で合成せずに前記合成画像を生成しても良い。
【００１３】
この構成により、本発明の携帯機器は、撮影画像上に対象の画像形成装置が存在していない場合に、この画像形成装置の装置情報に基づく付加情報と、この画像形成装置の画像との両方を撮影画像に合成し、撮影画像上に対象の画像形成装置が存在している場合に、この画像形成装置の装置情報に基づく付加情報と、この画像形成装置の画像とのうち、この画像形成装置の装置情報に基づく付加情報のみを撮影画像に合成するので、画像形成装置の装置情報に基づく付加情報の表示の直感性を向上することができる。
【００１４】
本発明の携帯機器用プログラムは、撮像デバイスおよび表示デバイスを備える携帯機器を、上述の携帯機器として機能させることを特徴とする。
【００１５】
この構成により、本発明の携帯機器用プログラムは、ジョブの印刷の実行の一の画像形成装置に対する命令を送信した後、他の画像形成装置によるこのジョブの印刷の継続の指示が受け付けられると、このジョブの印刷の停止の一の画像形成装置に対する命令の送信と、このジョブのうち一の画像形成装置によって印刷が完了していない部分の印刷の実行の他の画像形成装置に対する命令の送信とを自動で実行するので、ジョブの印刷を一の画像形成装置に停止させて他の画像形成装置によって継続させる場合の操作性を向上することができる。
【００１６】
本発明の画像形成システムは、上述の携帯機器と、前記一の画像形成装置および前記他の画像形成装置とを備えることを特徴とする。
【００１７】
この構成により、本発明の画像形成システムは、ジョブの印刷の実行の一の画像形成装置に対する命令を送信した後、他の画像形成装置によるこのジョブの印刷の継続の指示が受け付けられると、このジョブの印刷の停止の一の画像形成装置に対する命令の送信と、このジョブのうち一の画像形成装置によって印刷が完了していない部分の印刷の実行の他の画像形成装置に対する命令の送信とを自動で実行するので、ジョブの印刷を一の画像形成装置に停止させて他の画像形成装置によって継続させる場合の操作性を向上することができる。
【発明の効果】
【００１８】
本発明の携帯機器、携帯機器用プログラムおよび画像形成システムは、ジョブの印刷を一の画像形成装置に停止させて他の画像形成装置によって継続させる場合の操作性を向上することができる。
【図面の簡単な説明】
【００１９】
【図１】本発明の一実施の形態に係る画像形成システムのブロック図である。
【図２】図１に示すＭＦＰのブロック図である。
【図３】図１に示すＭＦＰが設置された建物の概略の断面図である。
【図４】図１に示す管理サーバーのブロック図である。
【図５】図１に示す携帯機器のブロック図である。
【図６】撮像部による撮影画像に対象ＭＦＰの装置情報に基づく付加情報を合成した合成画像を表示部に表示させる場合の図５に示す携帯機器の動作のフローチャートである。
【図７】図６に示す付加情報合成処理のフローチャートである。
【図８】表示部に表示された合成画像に基づいてＭＦＰを制御する場合の図５に示す携帯機器の動作のフローチャートである。
【図９】（ａ）は、建物において同じ階に存在するＭＦＰの方向を撮影した図５に示す携帯機器の撮像部による撮影画像の一例を示す図である。（ｂ）は、図９（ａ）に示す撮影画像にＭＦＰの装置情報に基づく付加情報が合成された合成画像の一例を示す図である。
【図１０】（ａ）は、建物において上階に存在するＭＦＰの方向を撮影した図５に示す携帯機器の撮像部による撮影画像の一例を示す図である。（ｂ）は、特定の範囲が削除された図１０（ａ）に示す撮影画像の一例を示す図である。
【図１１】（ａ）は、図１０（ｂ）に示す撮影画像にＭＦＰの画像が合成された合成画像の一例を示す図である。（ｂ）は、図１１（ａ）に示す合成画像にＭＦＰの装置情報に基づく付加情報が合成された合成画像の一例を示す図である。
【図１２】図１１（ａ）に示す合成画像にＭＦＰの装置情報に基づく付加情報が合成された合成画像の一例であって、図１１（ｂ）とは異なる例を示す図である。
【図１３】図１０（ａ）に示す撮影画像に、ＭＦＰの装置情報に基づく付加情報と、ＭＦＰの画像とのうち、ＭＦＰの装置情報に基づく付加情報のみを合成するようになっていると仮定した場合の合成画像の一例を示す図である。
【発明を実施するための形態】
【００２０】
以下、本発明の一実施の形態について、図面を用いて説明する。
【００２１】
まず、本実施の形態に係る画像形成システム１０の構成について説明する。
【００２２】
図１は、本実施の形態に係る画像形成システム１０のブロック図である。
【００２３】
図１に示すように、画像形成システム１０は、画像形成装置としてのＭＦＰ（Ｍｕｌｔｉｆｕｎｃｔｉｏｎ  Ｐｅｒｉｐｈｅｒａｌ）２０Ａ、２０Ｂを含む複数のＭＦＰと、ＭＦＰ２０Ａ、２０Ｂを含む複数のＭＦＰを管理するコンピューターである管理サーバー３０と、対象のＭＦＰ（以下「対象ＭＦＰ」と言う。）の装置情報に基づく付加情報を撮影画像に合成した合成画像を表示させる例えばスマートフォンなどの携帯機器４０とを備えている。ＭＦＰ２０Ａ、２０Ｂを含む複数のＭＦＰと、管理サーバー３０と、携帯機器４０とは、ＬＡＮ（Ｌｏｃａｌ  Ａｒｅａ  Ｎｅｔｗｏｒｋ）、インターネットなどのネットワーク１１を介して互いに通信可能に接続されている。
【００２４】
画像形成システム１０に含まれている複数のＭＦＰのそれぞれの構成は、ＭＦＰ２０Ａの構成と同様である。したがって、以下においては、画像形成システム１０に含まれる複数のＭＦＰを代表してＭＦＰ２０Ａについて説明する。
【００２５】
図２は、ＭＦＰ２０Ａのブロック図である。
【００２６】
図２に示すように、ＭＦＰ２０Ａは、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、ＭＦＰ２０Ａの現実空間での現在の位置を検出するＧＰＳ（Ｇｌｏｂａｌ  Ｐｏｓｉｔｉｏｎｉｎｇ  Ｓｙｓｔｅｍ）受信機などの位置検出デバイスである位置検出部２７と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２８と、ＭＦＰ２０Ａ全体を制御する制御部２９とを備えている。
【００２７】
操作部２１は、表示部２２とともにタッチパネルを形成する入力デバイスを含んでいても良い。
【００２８】
図３は、画像形成システム１０（図１参照。）のＭＦＰが設置された建物９０の概略の断面図である。
【００２９】
図３に示すように、建物９０は、各階にその階を示す情報を無線で送信する階情報送信器９１を備えている。したがって、図２に示す位置検出部２７は、高さ方向の現在の位置に関しては、階情報送信器９１から送信された情報を受信することによって、ＭＦＰ２０Ａが建物９０の何階に設置されているかというＭＦＰ２０Ａの高さ方向の現在の位置を検出することができる。
【００３０】
図２に示すように、記憶部２８は、ＭＦＰ２０Ａの現実空間での位置を示す装置位置データ２８ａと、ＭＦＰ２０Ａの機種名、性能、現在の状態などのＭＦＰ２０Ａの装置情報２８ｂと、ＭＦＰ２０Ａの画像を示す装置画像データ２８ｃとを記憶している。
【００３１】
制御部２９は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２８に記憶されているプログラムを実行するようになっている。
【００３２】
制御部２９は、操作部２１に特定の操作が入力されたとき、または、定期的に、位置検出部２７によって現在の位置を検出して、装置位置データ２８ａとして記憶部２８に記憶させるようになっている。
【００３３】
また、制御部２９は、記憶部２８に記憶されている装置位置データ２８ａ、装置情報２８ｂおよび装置画像データ２８ｃを、これらに何らかの変更があったとき、操作部２１に特定の操作が入力されたとき、ネットワーク通信部２６を介して管理サーバー３０（図１参照。）から要求されたとき、または、定期的に、ネットワーク通信部２６を介して管理サーバー３０に送信するようになっている。
【００３４】
図４は、管理サーバー３０のブロック図である。
【００３５】
図４に示すように、管理サーバー３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの不揮発性の記憶装置である記憶部３４と、管理サーバー３０全体を制御する制御部３５とを備えている。
【００３６】
記憶部３４は、ＭＦＰの現実空間での位置を示す装置位置データ３４ａと、ＭＦＰの機種名、性能、現在の状態などのＭＦＰの装置情報３４ｂと、ＭＦＰの画像を示す装置画像データ３４ｃとをＭＦＰ毎に記憶することが可能である。
【００３７】
制御部３５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３４に記憶されているプログラムを実行するようになっている。
【００３８】
制御部３５は、ＭＦＰから送信されてきた装置位置データ、装置情報および装置画像データをネットワーク通信部３３を介して受信して、それぞれ、装置位置データ３４ａ、装置情報３４ｂおよび装置画像データ３４ｃとして記憶部３４に記憶させるようになっている。
【００３９】
図５は、携帯機器４０のブロック図である。
【００４０】
図５に示すように、携帯機器４０は、種々の操作が入力されるボタンなどの入力デバイスである操作部４１と、種々の情報を表示するＬＣＤなどの表示デバイスである表示部４２と、静止画または動画を撮影する撮像デバイスである撮像部４３と、携帯機器４０の現実空間での現在の位置を検出するＧＰＳ受信機などの位置検出デバイスである位置検出部４４と、携帯機器４０の現実空間での現在の方向を検出する加速度センサーなどの方向検出デバイスである方向検出部４５と、ネットワーク１１（図１参照。）経由で外部の装置と通信を行うネットワーク通信デバイスであるネットワーク通信部４６と、プログラムおよび各種のデータを記憶しているＨＤＤなどの不揮発性の記憶装置である記憶部４７と、携帯機器４０全体を制御する制御部４８とを備えている。
【００４１】
操作部４１は、表示部４２とともにタッチパネルを形成する入力デバイスを含んでいても良い。
【００４２】
位置検出部４４は、高さ方向の現在の位置に関しては、階情報送信器９１（図３参照。）から送信された情報を受信することによって、携帯機器４０が建物９０（図３参照。）の何階に存在しているかという携帯機器４０の高さ方向の現在の位置を検出することができる。
【００４３】
記憶部４７は、制御部４８によって実行される携帯機器用プログラム４７ａを記憶している。
【００４４】
制御部４８は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部４７に記憶されているプログラムを実行するようになっている。
【００４５】
制御部４８は、記憶部４７に記憶されている携帯機器用プログラム４７ａを実行することによって、対象ＭＦＰの現実空間での位置を装置位置データとして取得する装置位置取得手段４８ａ、対象ＭＦＰの装置情報を取得する装置情報取得手段４８ｂ、および、対象ＭＦＰの画像を装置画像データとして取得する装置画像取得手段４８ｃとして機能する。
【００４６】
また、制御部４８は、記憶部４７に記憶されている携帯機器用プログラム４７ａを実行することによって、装置情報取得手段４８ｂによって取得されたＭＦＰの装置情報に基づく付加情報を、撮像部４３による撮影画像に、装置位置取得手段４８ａによって取得されたこのＭＦＰの現実空間での位置と、位置検出部４４によって検出された携帯機器４０の現実空間での位置との関係に対応した撮影画像上のこのＭＦＰの位置である撮影画像上装置位置に対応付けて合成した合成画像を表示部４２に表示させる表示制御手段４８ｄとして機能する。
【００４７】
また、制御部４８は、記憶部４７に記憶されている携帯機器用プログラム４７ａを実行することによって、ＭＦＰの撮影画像上装置位置に、このＭＦＰが存在しているか否かを画像処理によって判断する撮影画像上装置存在判断手段４８ｅ、装置情報取得手段４８ｂによって取得されたＭＦＰの装置情報に基づいてこのＭＦＰが対象のジョブ（以下「対象ジョブ」と言う。）の印刷を実行可能であるか否かを判断するジョブ印刷可否判断手段４８ｆ、表示制御手段４８ｄによって表示部４２に表示させられた合成画像上のＭＦＰの装置情報に基づく付加情報に対する指示を受け付ける指示受付手段４８ｇ、および、指示受付手段４８ｇによって受け付けられた指示に応じたＭＦＰに対する命令を送信する命令送信手段４８ｈとして機能する。
【００４８】
次に、画像形成システム１０の動作について説明する。
【００４９】
まず、撮像部４３による撮影画像にＭＦＰの装置情報に基づく付加情報を合成した合成画像を表示部４２に表示させる場合の携帯機器４０の動作について説明する。
【００５０】
図６は、撮像部４３による撮影画像にＭＦＰの装置情報に基づく付加情報を合成した合成画像を表示部４２に表示させる場合の携帯機器４０の動作のフローチャートである。
【００５１】
図６に示すように、携帯機器４０の制御部４８の表示制御手段４８ｄは、撮像部４３による撮影画像を表示部４２に表示させる（Ｓ１０１）。
【００５２】
次いで、制御部４８の装置位置取得手段４８ａ、装置情報取得手段４８ｂおよび装置画像取得手段４８ｃは、位置検出部４４によって検出された携帯機器４０の現実空間での現在の位置と、方向検出部４５によって検出された携帯機器４０の現実空間での現在の方向とをネットワーク通信部４６を介して管理サーバー３０に送信することによって、撮像部４３による撮影の角度範囲と、携帯機器４０からの予め定められている距離の範囲とに含まれているＭＦＰの装置位置データ、装置情報および装置画像データをネットワーク通信部４６を介して管理サーバー３０から取得する（Ｓ１０２）。
【００５３】
次いで、制御部４８の撮影画像上装置存在判断手段４８ｅは、Ｓ１０２において取得されたＭＦＰの現実空間での位置と、位置検出部４４によって検出された携帯機器４０の現実空間での位置との関係に対応した撮影画像上装置位置に、このＭＦＰが存在しているか否かを画像処理によって判断する（Ｓ１０３）。すなわち、撮影画像上装置存在判断手段４８ｅは、撮影画像においてＭＦＰの撮影画像上装置位置に、このＭＦＰの画像が存在しているか否かを判断する。
【００５４】
制御部４８の表示制御手段４８ｄは、ＭＦＰが存在しているとＳ１０３において判断された場合、Ｓ１０２において取得されたこのＭＦＰの装置情報に基づく付加情報を、撮像部４３による撮影画像に、このＭＦＰの撮影画像上装置位置に対応付けて合成した合成画像を生成する（Ｓ１０４）。すなわち、表示制御手段４８ｄは、後述の付加情報合成処理を実行する。
【００５５】
そして、表示制御手段４８ｄは、Ｓ１０４において生成した合成画像を表示部４２に表示させて（Ｓ１０５）、図６に示す動作を終了する。
【００５６】
表示制御手段４８ｄは、ＭＦＰが存在していないとＳ１０３において判断された場合、撮像部４３による撮影画像から、このＭＦＰの撮影画像上装置位置の特定の範囲を切り取って削除する（Ｓ１０６）。
【００５７】
なお、表示制御手段４８ｄは、Ｓ１０６においてＭＦＰの撮影画像上装置位置の特定の範囲を撮影画像から削除する場合、Ｓ１０２において取得されたこのＭＦＰの現実空間での位置と、位置検出部４４によって検出された携帯機器４０の現実空間での位置との距離に応じて、この特定の範囲の大きさを決定する。
【００５８】
表示制御手段４８ｄは、Ｓ１０６の処理の後、Ｓ１０６においてＭＦＰの撮影画像上装置位置の特定の範囲が削除された撮影画像に、Ｓ１０２において取得されたこのＭＦＰの画像を、このＭＦＰの撮影画像上装置位置で合成した合成画像を生成する（Ｓ１０７）。
【００５９】
なお、表示制御手段４８ｄは、Ｓ１０７においてＭＦＰの画像を撮影画像に合成する場合、Ｓ１０２において取得されたこのＭＦＰの現実空間での位置と、位置検出部４４によって検出された携帯機器４０の現実空間での位置との距離に応じて、このＭＦＰの画像の大きさを決定する。
【００６０】
表示制御手段４８ｄは、Ｓ１０７の処理の後、Ｓ１０７において撮影画像に画像を合成したＭＦＰの機器情報であってＳ１０２において取得された機器情報に基づく付加情報を、撮影画像、すなわち、Ｓ１０７において生成した合成画像に、このＭＦＰの撮影画像上装置位置に対応付けて合成した合成画像を生成する（Ｓ１０４）。すなわち、表示制御手段４８ｄは、後述の付加情報合成処理を実行する。
【００６１】
そして、表示制御手段４８ｄは、Ｓ１０４において生成した合成画像を表示部４２に表示させて（Ｓ１０５）、図６に示す動作を終了する。
【００６２】
図７は、図６に示す付加情報合成処理のフローチャートである。
【００６３】
図７に示すように、表示制御手段４８ｄは、対象ＭＦＰ以外のＭＦＰで印刷中のジョブがあるか否かを判断する（Ｓ１３１）。ここで、表示制御手段４８ｄは、ジョブの印刷の実行の命令を対象ＭＦＰ以外のＭＦＰに送信した後、このＭＦＰから印刷の終了の通知が未だない場合、対象ＭＦＰ以外のＭＦＰで印刷中のジョブがあると判断する。
【００６４】
制御部４８のジョブ印刷可否判断手段４８ｆは、対象ＭＦＰ以外のＭＦＰで印刷中のジョブがないとＳ１３１において判断されると、装置情報取得手段４８ｂによって取得された対象ＭＦＰの装置情報に基づいてこのＭＦＰが対象ジョブの印刷を実行可能であるか否かを判断する（Ｓ１３２）。例えば、ジョブ印刷可否判断手段４８ｆは、対象ＭＦＰの装置情報に基づいてこのＭＦＰが印刷を実行中である場合に、このＭＦＰが対象ジョブの印刷を実行可能ではないと判断する。また、ジョブ印刷可否判断手段４８ｆは、対象ＭＦＰの装置情報に基づいてこのＭＦＰがカラー印刷を実行可能ではないと判断した場合、対象ジョブがカラー印刷のジョブであるときに、このＭＦＰがこのジョブの印刷を実行可能ではないと判断する。また、ジョブ印刷可否判断手段４８ｆは、対象ＭＦＰの装置情報に基づいてこのＭＦＰが印刷を実行可能である用紙のサイズを取得し、この用紙のサイズの中に、対象ジョブに指定されている用紙のサイズが含まれていない場合に、このＭＦＰがこのジョブの印刷を実行可能ではないと判断する。
【００６５】
表示制御手段４８ｄは、対象ＭＦＰが対象ジョブの印刷を実行可能であるとＳ１３２において判断されると、対象ＭＦＰによる対象ジョブの印刷の実行の指示を受け付けるための付加情報を生成する（Ｓ１３３）。
【００６６】
一方、表示制御手段４８ｄは、対象ＭＦＰが対象ジョブの印刷を実行可能ではないとＳ１３２において判断されると、対象ＭＦＰによる対象ジョブの印刷の実行ができないことを示す付加情報を生成する（Ｓ１３４）。
【００６７】
制御部４８のジョブ印刷可否判断手段４８ｆは、対象ＭＦＰ以外のＭＦＰで印刷中のジョブがあるとＳ１３１において判断されると、装置情報取得手段４８ｂによって取得された対象ＭＦＰの装置情報に基づいてこのＭＦＰが対象ジョブ、すなわち、対象ＭＦＰ以外のＭＦＰで印刷中のジョブの印刷を実行可能であるか否かを判断する（Ｓ１３５）。例えば、ジョブ印刷可否判断手段４８ｆは、対象ＭＦＰの装置情報に基づいてこのＭＦＰがこのＭＦＰ以外のＭＦＰが途中まで印刷を実行したジョブの印刷を継続する機能を備えていないＭＦＰである場合に、このＭＦＰが対象ジョブの印刷を実行可能ではないと判断する。また、ジョブ印刷可否判断手段４８ｆは、対象ＭＦＰの装置情報に基づいてこのＭＦＰが印刷を実行中である場合に、このＭＦＰが対象ジョブの印刷を実行可能ではないと判断する。また、ジョブ印刷可否判断手段４８ｆは、対象ＭＦＰの装置情報に基づいてこのＭＦＰがカラー印刷を実行可能ではないと判断した場合、対象ジョブがカラー印刷のジョブであるときに、このＭＦＰがこのジョブの印刷を実行可能ではないと判断する。また、ジョブ印刷可否判断手段４８ｆは、対象ＭＦＰの装置情報に基づいてこのＭＦＰが印刷を実行可能である用紙のサイズを取得し、この用紙のサイズの中に、対象ジョブに指定されている用紙のサイズが含まれていない場合に、このＭＦＰがこのジョブの印刷を実行可能ではないと判断する。
【００６８】
表示制御手段４８ｄは、対象ＭＦＰが対象ジョブの印刷を実行可能であるとＳ１３５において判断されると、対象ＭＦＰによる対象ジョブの印刷の継続の指示を受け付けるための付加情報を生成する（Ｓ１３６）。
【００６９】
一方、表示制御手段４８ｄは、対象ＭＦＰが対象ジョブの印刷を実行可能ではないとＳ１３５において判断されると、対象ＭＦＰによる対象ジョブの印刷のやり直しの指示を受け付けるための付加情報を生成する（Ｓ１３７）。
【００７０】
表示制御手段４８ｄは、Ｓ１３３、Ｓ１３４、Ｓ１３６またはＳ１３７の処理の後、Ｓ１３３、Ｓ１３４、Ｓ１３６またはＳ１３７において生成した付加情報を、撮像部４３による撮影画像（Ｓ１０７において合成画像を生成している場合にはその合成画像）に合成した合成画像を生成して（Ｓ１３８）、図７に示す動作を終了する。
【００７１】
次に、表示部４２に表示された合成画像に基づいてＭＦＰを制御する場合の携帯機器４０の動作について説明する。
【００７２】
図８は、表示部４２に表示された合成画像に基づいてＭＦＰを制御する場合の携帯機器４０の動作のフローチャートである。
【００７３】
図８に示すように、携帯機器４０の制御部４８の指示受付手段４８ｇは、Ｓ１０５において表示部４２に表示させられた合成画像上の付加情報５０に対する指示を操作部４１から受け付ける（Ｓ２０１）。
【００７４】
制御部４８の命令送信手段４８ｈは、対象ＭＦＰによる対象ジョブの印刷の実行の指示をＳ２０１において受け付けたか否かを判断する（Ｓ２０２）。
【００７５】
命令送信手段４８ｈは、対象ＭＦＰによる対象ジョブの印刷の実行の指示を受け付けたとＳ２０２において判断すると、対象ジョブの印刷の実行の対象ＭＦＰに対する命令をネットワーク通信部４６を介して管理サーバー３０に送信する（Ｓ２０３）。したがって、管理サーバー３０の制御部３５は、携帯機器４０からネットワーク通信部３３を介して受信した命令に基づいて、対象ＭＦＰが対象ジョブの印刷を実行するように対象ＭＦＰを制御する。そして、対象ＭＦＰの制御部は、管理サーバー３０の制御に従って対象ジョブの印刷をプリンターによって実行する。
【００７６】
命令送信手段４８ｈは、対象ＭＦＰによる対象ジョブの印刷の実行の指示を受け付けていないとＳ２０２において判断すると、対象ＭＦＰによる対象ジョブの印刷の継続の指示をＳ２０１において受け付けたか否かを判断する（Ｓ２０４）。
【００７７】
命令送信手段４８ｈは、対象ＭＦＰによる対象ジョブの印刷の継続の指示を受け付けたとＳ２０４において判断すると、対象ジョブを印刷中のＭＦＰ（以下「印刷中ＭＦＰ」と言う。）に対する命令であって、対象ジョブの印刷の停止の命令をネットワーク通信部４６を介して管理サーバー３０に送信する（Ｓ２０５）。したがって、管理サーバー３０の制御部３５は、携帯機器４０からネットワーク通信部３３を介して受信した命令に基づいて、印刷中ＭＦＰが対象ジョブの印刷を停止するように印刷中ＭＦＰを制御する。そして、印刷中ＭＦＰの制御部は、管理サーバー３０の制御に従ってプリンターによる対象ジョブの印刷を停止すると、このジョブのうち印刷が完了した部分を示す印刷済情報を印刷中ＭＦＰの装置情報として管理サーバー３０に送信する。管理サーバー３０の制御部３５は、印刷中ＭＦＰによって送信されてきた印刷済情報をネットワーク通信部３３を介して受信すると、受信した印刷済情報を印刷中ＭＦＰの装置情報としてネットワーク通信部３３を介して携帯機器４０に送信する。
【００７８】
命令送信手段４８ｈは、Ｓ２０５の処理の後、印刷済情報が印刷中ＭＦＰの装置情報として装置情報取得手段４８ｂによって取得されたと判断するまで、印刷済情報が印刷中ＭＦＰの装置情報として装置情報取得手段４８ｂによって取得されたか否かを判断する（Ｓ２０６）。
【００７９】
命令送信手段４８ｈは、印刷済情報が印刷中ＭＦＰの装置情報として装置情報取得手段４８ｂによって取得されたとＳ２０６において判断すると、対象ジョブのうち印刷が完了していない部分の印刷の実行の対象ＭＦＰに対する命令を、この印刷済情報に基づいて生成し、この命令をネットワーク通信部４６を介して管理サーバー３０に送信する（Ｓ２０７）。したがって、管理サーバー３０の制御部３５は、携帯機器４０からネットワーク通信部３３を介して受信した命令に基づいて、対象ＭＦＰが対象ジョブのうち印刷が完了していない部分の印刷を実行するように対象ＭＦＰを制御する。そして、対象ＭＦＰの制御部は、管理サーバー３０の制御に従って、対象ジョブのうち印刷が完了していない部分の印刷をプリンターによって実行する。
【００８０】
命令送信手段４８ｈは、対象ＭＦＰによる対象ジョブの印刷の継続の指示を受け付けていないとＳ２０４において判断すると、対象ＭＦＰによる対象ジョブの印刷のやり直しの指示をＳ２０１において受け付けたか否かを判断する（Ｓ２０８）。
【００８１】
命令送信手段４８ｈは、対象ＭＦＰによる対象ジョブの印刷のやり直しの指示を受け付けたとＳ２０８において判断すると、対象ジョブの印刷の停止の印刷中ＭＦＰに対する命令をネットワーク通信部４６を介して管理サーバー３０に送信する（Ｓ２０９）。したがって、管理サーバー３０の制御部３５は、携帯機器４０からネットワーク通信部３３を介して受信した命令に基づいて、印刷中ＭＦＰが対象ジョブの印刷を停止するように印刷中ＭＦＰを制御する。そして、印刷中ＭＦＰの制御部は、管理サーバー３０の制御に従ってプリンターによる対象ジョブの印刷を停止する。
【００８２】
命令送信手段４８ｈは、Ｓ２０９の処理の後、対象ジョブの印刷の実行の対象ＭＦＰに対する命令をネットワーク通信部４６を介して管理サーバー３０に送信する（Ｓ２１０）。したがって、管理サーバー３０の制御部３５は、携帯機器４０からネットワーク通信部３３を介して受信した命令に基づいて、対象ＭＦＰが対象ジョブの印刷を実行するように対象ＭＦＰを制御する。そして、対象ＭＦＰの制御部は、管理サーバー３０の制御に従って対象ジョブの印刷をプリンターによって実行する。
【００８３】
なお、モノクロ印刷およびカラー印刷の相違、用紙のサイズの相違など、対象ＭＦＰの能力と、対象ジョブの印刷内容との相違によって、対象ＭＦＰが対象ジョブの印刷を実行可能ではないとＳ１３５において判断されている場合、命令送信手段４８ｈは、Ｓ２１０において命令を送信する場合に、対象ジョブの印刷内容を、対象ＭＦＰの能力に合わせて変換する。例えば、対象ＭＦＰがカラー印刷を実行可能ではない場合に対象ジョブがカラー印刷のジョブであるとき、命令送信手段４８ｈは、対象ジョブの印刷内容を、対象ＭＦＰの能力に合わせてカラー印刷からモノクロ印刷に変換する。また、対象ＭＦＰが印刷を実行可能である用紙のサイズがＡ４サイズであってＡ３サイズではない場合に対象ジョブに指定されている用紙のサイズがＡ３サイズであるとき、命令送信手段４８ｈは、対象ジョブの印刷内容のうち用紙のサイズを、対象ＭＦＰの能力に合わせてＡ３サイズからＡ４サイズに変換する。
【００８４】
Ｓ２０９およびＳ２１０は、順序が逆であっても良いし、同時に実行されても良い。
【００８５】
命令送信手段４８ｈは、Ｓ２０３、Ｓ２０７、Ｓ２１０の処理の後、または、対象ＭＦＰによる対象ジョブの印刷のやり直しの指示を受け付けていないとＳ２０８において判断すると、図８に示す動作を終了する。
【００８６】
以下、図３に示すように建物９０の３階、４階にそれぞれＭＦＰ２０Ａ、２０Ｂが存在している状況で、利用者が携帯機器４０を携帯して建物９０の３階に居る例について説明する。
【００８７】
図９（ａ）は、建物９０において同じ階に存在するＭＦＰ２０Ａの方向を撮影した携帯機器４０の撮像部４３による撮影画像の一例を示す図である。図９（ｂ）は、図９（ａ）に示す撮影画像にＭＦＰ２０Ａの装置情報に基づく付加情報５０が合成された合成画像の一例を示す図である。
【００８８】
利用者が建物９０において同じ階に存在するＭＦＰ２０Ａの方向を携帯機器４０によって撮影した場合、Ｓ１０１において表示部４２に表示される撮影画像は、例えば図９（ａ）に示すようになる。
【００８９】
図９（ａ）に示す撮影画像には、ＭＦＰ２０Ａの他に、人９２、９３および壁９４なども含まれている。
【００９０】
ＭＦＰ２０Ａと、携帯機器４０との間に障害物がないので、携帯機器４０の制御部４８は、撮影画像上装置位置にＭＦＰ２０Ａが存在しているとＳ１０３において判断し、Ｓ１０２において取得したＭＦＰ２０Ａの装置情報に基づく付加情報５０を、撮像部４３による撮影画像に、ＭＦＰ２０Ａの撮影画像上装置位置に対応付けて合成した図９（ｂ）に示すような合成画像を表示部４２に表示する（Ｓ１０４およびＳ１０５）。
【００９１】
ここで、対象のＭＦＰ２０Ａ以外のＭＦＰで印刷中のジョブがないとＳ１３１において判断されて、このＭＦＰ２０Ａが対象ジョブの印刷を実行可能であるとＳ１３２において判断される場合、例えば、図９（ｂ）に示す付加情報５０は、対象のＭＦＰ２０Ａの名称を示すテキスト５１と、対象ジョブを示すテキスト５２と、ＭＦＰ２０Ａによる対象ジョブの印刷の実行の指示を受け付けるためのボタン５３とを含んでいる（Ｓ１３３）。なお、対象ジョブは、操作部４１を介して予め指定されることができる。
【００９２】
したがって、利用者は、操作部４１を介してボタン５３を押すことによって、対象ジョブをＭＦＰ２０Ａに印刷させることができる（Ｓ２０３）。
【００９３】
図１０（ａ）は、建物９０において上階に存在するＭＦＰ２０Ｂの方向を撮影した携帯機器４０の撮像部４３による撮影画像の一例を示す図である。図１０（ｂ）は、特定の範囲が削除された図１０（ａ）に示す撮影画像の一例を示す図である。図１１（ａ）は、図１０（ｂ）に示す撮影画像にＭＦＰ２０Ｂの画像が合成された合成画像の一例を示す図である。図１１（ｂ）は、図１１（ａ）に示す合成画像にＭＦＰ２０Ｂの装置情報に基づく付加情報５０が合成された合成画像の一例を示す図である。
【００９４】
利用者が携帯機器４０を介して対象ジョブをＭＦＰ２０Ａに印刷させた後、利用者が建物９０において上階に存在するＭＦＰ２０Ｂの方向を携帯機器４０によって撮影した場合、Ｓ１０１において表示部４２に表示される撮影画像は、例えば図１０（ａ）に示すようになる。
【００９５】
図１０（ａ）に示す撮影画像には、壁９５、９６、天井９７および照明器具９８などが含まれている。
【００９６】
ＭＦＰ２０Ｂと、携帯機器４０との間に天井９７および照明器具９８などの障害物があるので、携帯機器４０の制御部４８は、撮影画像上装置位置にＭＦＰ２０Ｂが存在していないとＳ１０３において判断し、図１０（ｂ）に示すように、撮像部４３による撮影画像から、ＭＦＰ２０Ｂの撮影画像上装置位置の特定の範囲６１を切り取って削除する（Ｓ１０６）。次いで、携帯機器４０の制御部４８は、範囲６１が削除された撮影画像に、Ｓ１０２において取得されたＭＦＰ２０Ｂの画像６２を、ＭＦＰ２０Ｂの撮影画像上装置位置で合成した図１１（ａ）に示すような合成画像を生成する（Ｓ１０７）。最後に、携帯機器４０の制御部４８は、Ｓ１０２において取得したＭＦＰ２０Ｂの装置情報に基づく付加情報５０を、Ｓ１０７において生成した合成画像に、ＭＦＰ２０Ｂの撮影画像上装置位置に対応付けて合成した図１１（ｂ）に示すような合成画像を表示部４２に表示する（Ｓ１０４およびＳ１０５）。
【００９７】
ここで、対象のＭＦＰ２０Ｂ以外のＭＦＰ２０Ａで印刷中のジョブがあるとＳ１３１において判断されるので、このＭＦＰ２０Ｂが対象ジョブ、すなわち、ＭＦＰ２０Ａで印刷中のジョブの印刷を実行可能であるとＳ１３５において判断される場合、例えば、図１１（ｂ）に示す付加情報５０は、対象のＭＦＰ２０Ｂの名称を示すテキスト５４と、対象ジョブを示すテキスト５２と、対象ジョブを印刷中のＭＦＰ２０Ａの名称を示すテキスト５５と、ＭＦＰ２０Ｂによる対象ジョブの印刷の継続の指示を受け付けるためのボタン５６とを含んでいる（Ｓ１３６）。
【００９８】
したがって、利用者は、操作部４１を介してボタン５６を押すことによって、対象ジョブの印刷をＭＦＰ２０Ａに停止させてＭＦＰ２０Ｂによって継続させることができる（Ｓ２０５〜Ｓ２０７）。
【００９９】
例えば、利用者は、３階に居る時に３階に設置されているＭＦＰ２０Ａに携帯機器４０を介して会議の資料のジョブの印刷を開始させる。その後、利用者は、ＭＦＰ２０Ａでの印刷の完了を待つと仮定すると４階の会場で開催される会議に間に合わないであろうと判断した場合に、操作部４１を介してボタン５６を押すことによって、このジョブの印刷をＭＦＰ２０Ａに停止させて、４階において会議の会場の近くに設置されているＭＦＰ２０Ｂによって、このジョブの印刷を継続させる。そして、利用者は、ＭＦＰ２０Ａでジョブの途中まで印刷された出力物を取った後、３階から４階に移動する。このとき、ＭＦＰ２０Ｂでは、利用者の移動中にジョブのうち印刷が完了していない部分の印刷を進めている。最後に、利用者は、ＭＦＰ２０Ｂでジョブの途中から印刷された出力物を取って、ＭＦＰ２０Ａで印刷された出力物と、ＭＦＰ２０Ｂで印刷された出力物とを合わせて、４階の会場で開催される会議に持参することができる。
【０１００】
なお、対象のＭＦＰ２０Ｂ以外のＭＦＰ２０Ａで印刷中のジョブがあるとＳ１３１において判断されて、このＭＦＰ２０Ｂが対象ジョブ、すなわち、ＭＦＰ２０Ａで印刷中のジョブの印刷を実行可能ではないとＳ１３５において判断される場合には、表示部４２には例えば図１２に示す合成画像が表示される。
【０１０１】
図１２は、図１１（ａ）に示す合成画像にＭＦＰ２０Ｂの装置情報に基づく付加情報５０が合成された合成画像の一例であって、図１１（ｂ）とは異なる例を示す図である。
【０１０２】
図１２に示す付加情報５０は、対象のＭＦＰ２０Ｂの名称を示すテキスト５４と、対象ジョブを示すテキスト５２と、対象ジョブを印刷中のＭＦＰ２０Ａの名称を示すテキスト５５と、ＭＦＰ２０Ｂによる対象ジョブの印刷のやり直しの指示を受け付けるためのボタン５７とを含んでいる（Ｓ１３７）。
【０１０３】
したがって、利用者は、操作部４１を介してボタン５７を押すことによって、対象ジョブの印刷をＭＦＰ２０Ａに停止させて、対象ジョブの印刷をＭＦＰ２０Ｂによってやり直させることができる（Ｓ２０９、Ｓ２１０）。
【０１０４】
なお、図１１（ｂ）または図１２に示す付加情報５０は、ＭＦＰ２０Ａによる対象ジョブの印刷の続行の指示を受け付けるためのボタンを含んでも良い。しかしながら、ＭＦＰ２０Ａは対象ジョブの印刷を開始した後に特に何も指示がなければ対象ジョブの印刷を進めるので、利用者は、付加情報５０に含まれているボタン５６またはボタン５７を押さないことによって、実質的に、ＭＦＰ２０Ａによる対象ジョブの印刷の続行を指示することになる。
【０１０５】
以上に説明したように、携帯機器４０は、対象ジョブの印刷の実行の一のＭＦＰに対する命令を送信した（Ｓ２０３）後、他のＭＦＰによるこのジョブの印刷の継続の指示が受け付けられると（Ｓ２０４でＹＥＳ）、このジョブの印刷の停止の一のＭＦＰに対する命令の送信（Ｓ２０５）と、このジョブのうち一のＭＦＰによって印刷が完了していない部分の印刷の実行の他のＭＦＰに対する命令の送信（Ｓ２０７）とを自動で実行するので、対象ジョブの印刷を一のＭＦＰに停止させて他のＭＦＰによって継続させる場合の操作性を向上することができる。
【０１０６】
携帯機器４０は、ジョブの印刷の実行の一のＭＦＰに対する命令を送信した（Ｓ２０３）後、他のＭＦＰがジョブの印刷を実行可能ではない場合（Ｓ１３１でＹＥＳおよびＳ１３５でＮＯ）に、他のＭＦＰによるジョブの印刷の継続の指示を受け付けず（Ｓ２０４でＮＯ）、他のＭＦＰがジョブの印刷を実行可能である場合（Ｓ１３１でＹＥＳおよびＳ１３５でＹＥＳ）に、他のＭＦＰによるジョブの印刷の継続の指示を受け付ける（Ｓ１３６およびＳ２０４でＹＥＳ）ので、利用者による無駄な操作を防止することができる。したがって、携帯機器４０は、対象ジョブの印刷を一のＭＦＰに停止させて他のＭＦＰによって継続させる場合の操作性を向上することができる。
【０１０７】
携帯機器４０は、ジョブの印刷の実行の一のＭＦＰに対する命令を送信した（Ｓ２０３）後、他のＭＦＰがジョブの印刷を実行可能ではない場合（Ｓ１３１でＹＥＳおよびＳ１３５でＮＯ）に、他のＭＦＰによるジョブの印刷のやり直しの指示を受け付けたとき（Ｓ１３７およびＳ２０８でＹＥＳ）、ジョブの印刷の停止の一のＭＦＰに対する命令の送信（Ｓ２０９）と、ジョブの印刷の実行の他のＭＦＰに対する命令の送信（Ｓ２１０）とを自動で実行するので、対象ジョブの印刷を一のＭＦＰに停止させて他のＭＦＰによってやり直させる場合の操作性を向上することができる。
【０１０８】
携帯機器４０は、撮影画像上に対象ＭＦＰが存在していない場合に（Ｓ１０３でＮＯ）、このＭＦＰの装置情報に基づく付加情報５０と、このＭＦＰの画像６２との両方を撮影画像に合成し（Ｓ１０７およびＳ１０４）、撮影画像上に対象ＭＦＰが存在している場合に（Ｓ１０３でＹＥＳ）、このＭＦＰの装置情報に基づく付加情報５０と、このＭＦＰの画像とのうち、付加情報５０のみを撮影画像に合成する（Ｓ１０４）ので、ＭＦＰの装置情報に基づく付加情報５０の表示の直感性を向上することができる。
【０１０９】
すなわち、携帯機器４０は、例えばＭＦＰ２０Ｂと、携帯機器４０との間に障害物である天井９７および照明器具９８がある場合、すなわち、図１０（ａ）に示すように撮影画像上にＭＦＰ２０Ｂが存在していない場合に、ＭＦＰ２０Ｂの装置情報に基づく付加情報５０と、ＭＦＰ２０Ｂの画像６２とのうち、付加情報５０のみを撮影画像に合成するようになっていると仮定すると、図１３に示すように、撮影画像上の天井９７および照明器具９８に、付加情報５０が合成された違和感がある画像を表示することになる。しかしながら、携帯機器４０は、図１１（ｂ）に示すように、ＭＦＰ２０Ｂの装置情報に基づく付加情報５０と、ＭＦＰ２０Ｂの画像６２との両方を撮影画像に合成する（Ｓ１０７およびＳ１０４）ので、ＭＦＰ２０Ｂの装置情報に基づく付加情報５０の表示の直感性を向上することができる。
【０１１０】
なお、画像形成システム１０は、本実施の形態において管理サーバー３０を備えているが、ＭＦＰ自身が管理サーバー３０として機能しても良い。すなわち、携帯機器４０は、ＭＦＰの装置位置データ、装置情報および装置画像データを、このＭＦＰから直接受信するようになっていても良いし、ＭＦＰへの命令を、このＭＦＰに直接送信するようになっていても良い。
【０１１１】
また、画像形成システム１０は、本実施の形態において本発明の画像形成装置としてＭＦＰを備えているが、プリンター専用機、コピー専用機、ＦＡＸ専用機など、ＭＦＰ以外の画像形成装置を本発明の画像形成装置として備えていても良い。
【符号の説明】
【０１１２】
１０  画像形成システム
２０Ａ  ＭＦＰ（画像形成装置、一の画像形成装置）
２０Ｂ  ＭＦＰ（画像形成装置、他の画像形成装置）
２８ｂ  装置情報
３４ｂ  装置情報
４０  携帯機器
４２  表示部（表示デバイス）
４３  撮像部（撮像デバイス）
４７ａ  携帯機器用プログラム
４８ａ  装置位置取得手段
４８ｂ  装置情報取得手段
４８ｃ  装置画像取得手段
４８ｄ  表示制御手段
４８ｅ  撮影画像上装置存在判断手段
４８ｆ  ジョブ印刷可否判断手段
４８ｇ  指示受付手段
４８ｈ  命令送信手段
５０  付加情報
６２  画像（画像形成装置の画像）
【図１】
2014170486.tif 000003
【図２】
2014170486.tif 000004
【図３】
2014170486.tif 000005
【図４】
2014170486.tif 000006
【図５】
2014170486.tif 000007
【図６】
2014170486.tif 000008
【図７】
2014170486.tif 000009
【図８】
2014170486.tif 000010
【図９】
2014170486.tif 000011
【図１０】
2014170486.tif 000012
【図１１】
2014170486.tif 000013
【図１２】
2014170486.tif 000014
【図１３】
2014170486.tif 000015